(57)【要約】      （修正有）【課題】高密封性及び防水性を有し、湿潤環境又は水に接触する環境に適用できる防水安定器を提供する。【解決手段】防水安定器は、固定コンポーネントと、回動コンポーネントと、防水コンポーネントとを備え、回動コンポーネントは、空間において互いに直交する方向に配置された第１のモータ２１、第２のモータ２２及び第３のモータと、第１の接続アームと、第２の接続アームとを含み、防水コンポーネント３は、第１のシールリング３１と、第２のシールリング３２と、第３のシールリング３３と、第４のシールリング３４と、第１の防水プラグ３６と、第２の防水プラグ３７と、第３の防水プラグ３８とを含み、複数のシールリング及び複数の防水プラグは、それぞれ安定器における構成部品又は接続部品の間に設けられている。【選択図】図４
0003214420.tif 000002
【実用新案登録請求の範囲】
【請求項１】
防水安定器であって、
固定コンポーネントと、回動コンポーネントと、防水コンポーネントとを備え、
前記回動コンポーネントは、第１のモータと、第２のモータと、第３のモータと、第１の接続アームと、第２の接続アームとを含み、
前記第１のモータと第２のモータと第３のモータとは、空間において互いに直交する方向に配置されており、前記第１のモータのロータが前記固定コンポーネントに接続され、前記第１のモータのステータが前記第１の接続アームを介して前記第２のモータのロータに接続固定され、前記第２のモータのステータが前記第２の接続アームを介して前記第３のモータのロータに接続固定されており、
前記第１のモータの外部には、側壁が前記第１の接続アームに接続された第１の保護ボックスと、前記第１の保護ボックスに被覆された第１の保護キャップとが設けられており、
前記第２のモータの外部には、側壁が前記第２の接続アームに接続された第２の保護ボックスと、前記第２の保護ボックスに被覆された第２の保護キャップとが設けられており、
前記防水コンポーネントは、第１のシールリングと、第２のシールリングと、第３のシールリングと、第４のシールリングと、第１の防水プラグと、第２の防水プラグと、第３の防水プラグとを含み、
前記第１のシールリングは、前記固定コンポーネントと前記第１のモータのロータとの間に設けられており、
前記第２のシールリングは、前記第１の保護ボックスと前記第１の保護キャップとの間に設けられており、
前記第３のシールリングは、前記第２のモータの軸に覆設して接続されており、
前記第４のシールリングは、前記第２の保護ボックスと前記第２の保護キャップとの間に設けられており、
前記第１の防水プラグは、前記第１の保護ボックスの側壁と前記第１の接続アームとの間に設けられており、
前記第２の防水プラグは、前記第２の保護ボックスの側壁と前記第２の接続アームとの間に設けられており、
前記第３の防水プラグは、前記第３のモータの軸孔を塞ぐように前記第３のモータの軸の一端に設けられている、
ことを特徴とする防水安定器。
【請求項２】
ボディケース及びカバープレートを含む台座をさらに備え、
前記第３のモータのステータが前記台座の上端に接続され、前記カバープレートが前記ボディケースに被覆されており、
前記ボディケースの表面には、ＵＳＢインターフェース及びインジケータランプが設けられており、
前記防水コンポーネントは、前記ボディケースと前記カバープレートとの間に設けられた第５のシールリングと、前記ＵＳＢインターフェースを覆うように前記ボディケースの表面に接続された第４の防水プラグと、前記インジケータランプを覆うように前記ボディケースに接続された防水膜と、前記カバープレートの外壁に貼り付けられた防水層とをさらに含む、
ことを特徴とする請求項１に記載の防水安定器。
【請求項３】
前記第１の接続アームは、前記第２のモータのロータに接続された端部に摺動溝が設けられており、
前記第２のモータのロータは、前記第２のモータのロータに設けられた接続部を介して、前記摺動溝に摺動可能に接続されており、
前記接続部には、前記第２のモータと前記第１の接続アームとの相対位置を固定するための締結具が設けられている、
ことを特徴とする請求項１に記載の防水安定器。
【請求項４】
前記締結具は、前記接続部の外部に覆設された調整リングである、
ことを特徴とする請求項２項に記載の防水安定器。
【請求項５】
前記固定コンポーネントは、固定板と、締付けストリップと、係止ねじとを含み、
前記固定板は、上端及び下端に、キャリアを嵌入するための凹溝と、貫通孔とが設けられており、
前記締付けストリップは、上端及び下端に、前記貫通孔に対向するねじ孔が設けられており、
前記係止ねじは、前記貫通孔及び前記ねじ孔に順次挿入してキャリアを前記固定板と前記締付けストリップとの間に固定している、
ことを特徴とする請求項１に記載の防水安定器。
【請求項６】
前記貫通孔内には、係止ねじの移動のためのキャビティが設けられている、
ことを特徴とする請求項５に記載の防水安定器。
【請求項７】
前記防水コンポーネントは、軟質材料からなる、
ことを特徴とする請求項１に記載の防水安定器。
【請求項８】
前記シールリングは、Ｏ字状に形成されている、
ことを特徴とする請求項１又は２に記載の防水安定器。
【請求項９】
前記防水膜は、透明材料からなる、
ことを特徴とする請求項２に記載の防水安定器。
【請求項１０】
前記台座は、制御盤とボタンインターフェースとをさらに含み、
前記台座には、取付部がさらに設けられている、
ことを特徴とする請求項２に記載の防水安定器。
【考案の詳細な説明】
【技術分野】
【０００１】
本考案は、安定器に関し、特に防水安定器に関する。
【背景技術】
【０００２】
安定器は、ビデオカメラ及びカメラなどを含む対象キャリア（target carrier）を固定させ、対象キャリアの姿勢（例えば、方向、ロール角及びピッチ角）を調整して対象キャリアを所定の姿勢に安定に保持させることにより、対象キャリアの多角度撮影を安定、円滑に行うことを実現するために用いられる。現在、安定器の多くは、手持ち式又は搭載式の雲台を備え、スポーツファンによって自転車、ヘルメット又は腕などに固定され、様々な場所でカメラに合わせて撮影を行うものであるが、従来の安定器が非防水のものであり、湿潤環境下で又は水に接触する場合に壊れ易いため、安定器の使用条件が制限され、不便が生じる。
【考案の概要】
【考案が解決しようとする課題】
【０００３】
本考案の目的は、安定器が水に接触する場合に壊れ易いという課題を解決ために、湿潤環境下で又は水に接触する場合にカメラに合わせて使用可能な防水安定器（waterproof stabilizer）を提供することにある。
【課題を解決するための手段】
【０００４】
上述の目的を達成するために、本考案は、防水安定器であって、固定コンポーネントと、回動コンポーネントと、防水コンポーネントとを備え、
上記回動コンポーネントは、第１のモータと、第２のモータと、第３のモータと、第１の接続アームと、第２の接続アームとを含み、
上記第１のモータと第２のモータと第３のモータとは、空間において互いに直交する方向に配置されており、上記第１のモータのロータが上記固定コンポーネントに接続され、上記第１のモータのステータが上記第１の接続アームを介して上記第２のモータのロータに接続固定され、上記第２のモータのステータが上記第２の接続アームを介して上記第３のモータのロータに接続固定されており、
上記第１のモータの外部には、側壁が前記第１の接続アームに接続された第１の保護ボックスと、上記第１の保護ボックスに被覆された第１の保護キャップとが設けられており、
上記第２のモータの外部には、側壁が上記第２の接続アームに接続された第２の保護ボックスと、上記第２の保護ボックスに被覆された第２の保護キャップとが設けられており、
上記防水コンポーネントは、第１のシールリングと、第２のシールリングと、第３のシールリングと、第４のシールリングと、第１の防水プラグと、第２の防水プラグと、第３の防水プラグとを含み、
上記第１のシールリングは、上記固定コンポーネントと上記第１のモータのロータとの間に設けられており、
上記第２のシールリングは、上記第１の保護ボックスと第１の保護キャップとの間に設けられており、
上記第３のシールリングは、上記第２のモータの軸に覆設して接続されており、
上記第４のシールリングは、上記第２の保護ボックスと第２の保護キャップとの間に設けられており、
上記第１の防水プラグは、上記第１の保護ボックスの側壁と上記第１の接続アームとの間に設けられており、
上記第２の防水プラグは、上記第２の保護ボックスの側壁と上記第２の接続アームとの間に設けられており、
上記第３の防水プラグは、前記第３のモータの軸孔を塞ぐように上記第３のモータの軸の一端に設けられている、防水安定器を提供する。
【０００５】
好ましい実施形態として、上記防水安定器は、ボディケース及びカバープレートを含む台座をさらに備え、上記第３のモータのステータが上記台座の上端に接続され、上記カバープレートが上記ボディケースに被覆されており、上記ボディケースの表面にＵＳＢインターフェース及びインジケータランプが設けられており、上記防水コンポーネントは、上記ボディケースと上記カバープレートとの間に設けられた第５のシールリングと、上記ＵＳＢインターフェースを覆うように上記ボディケースの表面に接続された第４の防水プラグと、上記インジケータランプを覆うように上記ボディケースに接続された防水膜と、上記カバープレートの外壁に貼り付けられた防水層とをさらに含む。
【０００６】
好ましい実施形態として、上記第１の接続アームは、上記第２のモータのロータに接続された端部に摺動溝が設けられており、上記第２のモータのロータは、上記第２のモータのロータに設けられた接続部を介して、上記摺動溝に摺動可能に接続されており、上記接続部には、上記第２のモータと上記第１の接続アームとの相対位置を固定するための締結具が設けられている。
【０００７】
好ましい実施形態として、上記締結具は、上記接続部の外部に覆設された調整リング（adjusting ring）である。
【０００８】
好ましい実施形態として、上記固定コンポーネントは、固定板と、締付けストリップ（fastening strip）と、係止ねじ（locking screw）とを含み、上記固定板は、上端及び下端に、キャリアを嵌入するための凹溝と、貫通孔とが設けられており、上記締付けストリップは、上端及び下端に、上記貫通孔に対向するねじ孔が設けられており、上記係止ねじは、上記貫通孔及び上記ねじ孔に順次挿入してキャリアを上記固定板と上記締付けストリップとの間に固定している。
【０００９】
好ましい実施形態として、上記貫通孔内には、係止ねじの移動のためのキャビティが設けられている。
【００１０】
好ましい実施形態として、上記防水コンポーネントは、軟質材料からなる。
【００１１】
好ましい実施形態として、上記シールリングは、Ｏ字状に形成されている。
【００１２】
好ましい実施形態として、上記防水膜は、透明材料からなる。
【００１３】
好ましい実施形態として、上記台座が制御盤とボタンインターフェースとをさらに含み、上記台座に取付部がさらに設けられている。
【考案の効果】
【００１４】
本考案に係る防水安定器において、第１のモータと第２のモータと第３のモータとは、空間において互いに直交する方向に配置されており、第１のモータのロータが固定コンポーネントに接続されている。第１の接続アームは、一方の端部が第１のモータのステータに接続され、他方の端部が２のモータのロータに接続されている。第２の接続アームは、一方の端部が第２のモータのステータに接続され、他方の端部が第３のモータのロータに接続されている。ここで、第１のモータの外部に第１の保護ボックス及び第１の保護キャップが設けられ、第２のモータの外部に第２の保護ボックス及び第２の保護キャップが設けられている。第１のシールリングが固定コンポーネントと第１のモータのロータとの間に設けられ、第２のシールリングが第１の保護ボックスと第１の保護キャップとの間に設けられ、第３のシールリングが第２のモータの軸に覆設して接続され、第４のシールリングが第２の保護ボックスと第２の保護キャップとの間に設けられている。第１の防水プラグが第１の保護ボックスと第１の接続アームとの間に設けられ、第２の防水プラグが第２の保護ボックスと第２の接続アームとの間に設けられ、第３の防水プラグが第３のモータの軸孔を塞ぐように第３のモータの軸の一端に設けられている。このようにして、防水安定器における構成部品又は接続部品の密封性を向上でき、防水安定器に防水性を与え、湿潤環境又は水に接触する環境に適用できる。
【図面の簡単な説明】
【００１５】
【図１】図１は、本考案の実施例に係る防水安定器の第１の構造概略図である。
【図２】図２は、本考案の実施例に係る防水安定器の第２の構造概略図である。
【図３】図３は、本考案の実施例に係る防水安定器の第３の構造概略図である。
【図４】図４は、本考案の実施例に係る防水安定器の分解構造概略図である。
【考案を実施するための形態】
【００１６】
以下、図面及び実施例を参照しながら、本考案の具体的な実施形態をさらに詳しく説明する。以下の実施例は、本考案を説明するために用いられ、本考案の範囲を限定するものではない。
【００１７】
図１、図２及び図４に示すように、本考案の好ましい実施例に係る防水安定器は、固定コンポーネント１と、回動コンポーネント２と、防水コンポーネント３とを備える。回動コンポーネント２は、第１のモータ２１と、第２のモータ２２と、第３のモータ２３と、第１の接続アーム２４と、第２の接続アーム２５とを含む。第１のモータ２１と第２のモータ２２と第３のモータ２３とは、空間において互いに直交する方向に配置されている。第１のモータ２１のロータが固定コンポーネント１に接続され、第１のモータ２１のステータが第１の接続アーム２４を介して第２のモータ２２のロータに接続固定され、第２のモータ２２のステータが第２の接続アーム２５を介して第３のモータ２３のロータに接続固定されている。使用中に、ビデオカメラ又はカメラが固定コンポーネント１に固定され、第１のモータ２１が固定コンポーネント１のピッチ角を制御し、第２のモータ２２が固定コンポーネント１のロール角を制御し、第３のモータ２３が固定コンポーネント１のピッチ角を制御する。第１のモータ２１の外部には、側壁が第１の接続アーム２４に接続された第１の保護ボックス２１１と、第１の保護ボックス２１１に被覆された第１の保護キャップ２１２とが設けられている。第１の保護キャップ２１２は、第１のモータ２１を衝突などによる損傷から保護するとともに、第１のモータ２１に防水効果を与える。同様に、第２のモータ２２の外部には、側壁が第２の接続アーム２５に接続された第２の保護ボックス２２１と、第２の保護ボックスに被覆された第２の保護キャップ２２２とが設けられている。また、第１の保護ボックスの内部には、第１のモータを制御するための第１の回路基板が設けられ、第２の保護ボックスの内部には、第２のモータを制御するための第２の回路基板が設けられている。
【００１８】
防水コンポーネント３は、第１のシールリング３１と、第２のシールリング３２と、第３のシールリング３３と、第４のシールリング３４と、第１の防水プラグ３６と、第２の防水プラグ３７と、第３の防水プラグ３８とを含む。第１のシールリング３１は、固定コンポーネント１と第１のモータ２１のロータとの間に設けられている。第２のシールリング３２は、第１の保護ボックス２１１と第１の保護キャップ２１２との間に設けられている。第３のシールリング３３は、第２のモータ２２の軸に覆設して接続されている。第４のシールリング３４は、第２の保護ボックス２２１と第２の保護キャップ２２２との間に設けられている。第１の防水プラグ３６は、第１の保護ボックス２１１の側壁と第１の接続アーム２４との間に設けられている。第２の防水プラグ３７は、第２の保護ボックス２２１の側壁と第２の接続アーム２５との間に設けられている。第３の防水プラグ３８は、第３のモータの軸孔を塞ぐように第３のモータ２３の軸の一端に設けられている。このようにして、防水安定器における構成部品又は接続部品の密封性を向上でき、防水安定器に防水性を与え、湿潤環境又は水に接触する環境に適用できる。
【００１９】
防水安定器は、ボディケース４６とカバープレート４７とを含む台座４をさらに備える。第３のモータ２３のステータが台座４の上端に接続され、カバープレート４７がボディケース４６に被覆されている。ボディケース４６の表面には、ＵＳＢインターフェース４１及びインジケータランプ４２が設けられている。防水コンポーネントは、ボディケース４６とカバープレート４７との間に設けられた第５のシールリング３５と、ＵＳＢインターフェース４１を覆うようにボディケース４６の表面に接続された第４の防水プラグ３９と、インジケータランプ４２を覆うようにボディケースに接続された防水膜３１０と、カバープレート４７の外壁に貼り付けられた防水層３１１とをさらに含む。第５のシールリング３５は、カバープレート４７とボディケース４６との間における隙間からボディケース４６の内部への水の浸入によるボディケース４６内における部品の損傷を防止することができる。第４の防水プラグ３９は、非使用時のＵＳＢインターフェース４１を密封することにより、水の浸入によるＵＳＢインターフェース４１の損傷を防止することができる。また、防水膜３１０及び防水層３１１は、安定器の防水性能をさらに向上することができる。具体的に、台座４の内部にブルートゥース(登録商標)が設けられ、カバープレート４７の外壁におけるブルートゥース(登録商標)に対応する位置に開口が設けられ、防水層３１１がその開口に貼り付けられている。
【００２０】
防水安定器が異なる重さ又はサイズの対象キャリアに合わせて適用できるようにするために、平衡に達するまで第２のモータ２２の位置を調整することができる。第１の接続アーム２４は、第２のモータ２２のロータに接続された端部に摺動溝２４１が設けられている。第２のモータ２２のロータには、接続部２２３が設けられている。第２のモータ２２のロータは、第２のモータ２２が第１の接続アーム２４に沿って摺動できるように、接続部２２３を介して摺動溝２４１に摺動可能に接続されている。接続部２２３には、第２のモータ２２と第１の接続アーム２４との相対位置を固定するための締結具２２３１が設けられている。具体的に、締結具２２３１は、接続部２２３の外部に覆設された調整リングであり、調整リングのねじを締めると第２のモータ２２の位置が固定されたが、調整リングのねじを緩めると第２のモータ２２が摺動溝２４１内に摺動できる。
【００２１】
防水安定器が対象キャリアを安定に搭載できるようにするために、固定コンポーネント１は、固定板１１と、締付けストリップ１２と、係止ねじ１３とを含む。固定板１１は、上端及び下端に凹溝と貫通孔とが設けられている。締付けストリップ１２は、上端及び下端に、固定板１の貫通孔に対向するねじ孔が設けられている。使用時に、ビデオカメラ又はカメラを凹溝に嵌入し、係止ねじ１３は、貫通孔及びねじ孔に順次挿入してビデオカメラ又はカメラを固定板１１と締付けストリップ１２との間に固定する。さらに、貫通孔内には、キャビティ１１１が設けられている。係止ねじ１３は、キャビティ１１１内で左右に移動可能である。それに応じて、締付けストリップ１２を左右に移動させることにより、締付けストリップ１２におけるねじ孔が係止ねじ１３に合わせて、固定時の締付けストリップ１２と固定板１１との相対位置を調整することができる。このようにして、固定コンポーネント１は、サイズの異なるカメラに適用することができる。
【００２２】
好ましい実施形態として、防水コンポーネント３は、軟質材料からなる。第１のシールリング３１、第２のシールリング３２、第３のシールリング３３、第４のシールリング３４、及び第５のシールリング３５は、Ｏ字状に形成されている。
【００２３】
防水膜３１０によるインジケータランプ４２の輝度への影響を低減するために、防水膜３１０は透明材料からなる。
【００２４】
台座４において機能操作を行うために、台座４は、制御盤とボタンインターフェース４３とをさらに含む。また、他の場所への台座４の取り付けを可能にするために、台座４には、取付部をさらに設けられている。具体的に、台座４の側面に第１の取付部４４が設けられ、台座４の底部に第２の取付部４５が設けられている。好ましくは、第１の取付部４４及び第２の取付部４５が１/４ねじ孔であり、使用時に、台座を固定しようとする場所に設けられた、１/４ねじ孔に対応するねじ孔又はねじによって、台座４を取り付けて固定することができる。
【００２５】
以上のように、本考案に係る防水安定器において、第１のモータと第２のモータと第３のモータとは、空間において互いに直交する方向に配置されており、第１のモータのロータが固定コンポーネントに接続されている。第１の接続アームは、一方の端部が第１のモータのステータに接続され、他方の端部が２のモータのロータに接続されている。第２の接続アームは、一方の端部が第２のモータのステータに接続され、他方の端部が第３のモータのロータに接続されている。ここで、第１のモータの外部に第１の保護ボックス及び第１の保護キャップが設けられ、第２のモータの外部に第２の保護ボックス及び第２の保護キャップが設けられている。第１のシールリングが固定コンポーネントと第１のモータのロータとの間に設けられ、第２のシールリングが第１の保護ボックスと第１の保護キャップとの間に設けられ、第３のシールリングが第２のモータの軸に覆設して接続され、第４のシールリングが第２の保護ボックスと第２の保護キャップとの間に設けられている。第１の防水プラグが第１の保護ボックスと第１の接続アームとの間に設けられ、第２の防水プラグが第２の保護ボックスと第２の接続アームとの間に設けられ、第３の防水プラグが第３のモータの軸孔を塞ぐように第３のモータの軸の一端に設けられている。このようにして、防水安定器における構成部品又は接続部品の密封性を向上でき、防水安定器に防水性を与え、湿潤環境又は水に接触する環境に適用できる。
【００２６】
上述したのは本考案の好ましい実施形態に過ぎず、本考案の技術的原理を逸脱しない範囲において、当業者が本考案に基づいて行う複数の改良及び置き換えは、本考案の保護範囲に属するものと理解されるべきである。
【符号の説明】
【００２７】
１    固定コンポーネント
１１    固定板
１１１    キャビティ
１２    締付けストリップ
１３    係止ねじ
２    回動コンポーネント
２１    第１のモータ
２１１    第１の保護ボックス
２１２    第１の保護キャップ
２２    第２のモータ
２２１    第２の保護ボックス
２２２    第２の保護キャップ
２２３    接続部
２２３１    締結具
２３    第３のモータ
２４    第１の接続アーム
２５    第２の接続アーム
３    防水コンポーネント
３１    第１のシールリング
３２    第２のシールリング
３３    第３のシールリング
３４    第４のシールリング
３５    第５のシールリング
３６    第１の封止プラグ
３７    第２の封止プラグ
３８    第３の封止プラグ
３９    第４の封止プラグ
３１０    防水膜
３１１    防水層
４    台座
４１    ＵＳＢインターフェース
４２    インジケータランプ
４３    ボタンインターフェース
４４    第１の取付部
４５    第２の取付部
４６    ボディケース
４７    カバープレート
【図１】
0003214420.tif 000003
【図２】
0003214420.tif 000004
【図３】
0003214420.tif 000005
【図４】
0003214420.tif 000006
【手続補正書】
【提出日】平成29年11月9日(2017.11.9)
【手続補正１】
【補正対象書類名】実用新案登録請求の範囲
【補正対象項目名】全文
【補正方法】変更
【補正の内容】
【実用新案登録請求の範囲】
【請求項１】
防水安定器であって、
固定コンポーネントと、回動コンポーネントと、防水コンポーネントとを備え、
前記回動コンポーネントは、第１のモータと、第２のモータと、第３のモータと、第１の接続アームと、第２の接続アームとを含み、
前記第１のモータと第２のモータと第３のモータとは、空間において互いに直交する方向に配置されており、前記第１のモータのロータが前記固定コンポーネントに接続され、前記第１のモータのステータが前記第１の接続アームを介して前記第２のモータのロータに接続固定され、前記第２のモータのステータが前記第２の接続アームを介して前記第３のモータのロータに接続固定されており、
前記第１のモータの外部には、側壁が前記第１の接続アームに接続された第１の保護ボックスと、前記第１の保護ボックスに被覆された第１の保護キャップとが設けられており、
前記第２のモータの外部には、側壁が前記第２の接続アームに接続された第２の保護ボックスと、前記第２の保護ボックスに被覆された第２の保護キャップとが設けられており、
前記防水コンポーネントは、第１のシールリングと、第２のシールリングと、第３のシールリングと、第４のシールリングと、第１の防水プラグと、第２の防水プラグと、第３の防水プラグとを含み、
前記第１のシールリングは、前記固定コンポーネントと前記第１のモータのロータとの間に設けられており、
前記第２のシールリングは、前記第１の保護ボックスと前記第１の保護キャップとの間に設けられており、
前記第３のシールリングは、前記第２のモータの軸に覆設して接続されており、
前記第４のシールリングは、前記第２の保護ボックスと前記第２の保護キャップとの間に設けられており、
前記第１の防水プラグは、前記第１の保護ボックスの側壁と前記第１の接続アームとの間に設けられており、
前記第２の防水プラグは、前記第２の保護ボックスの側壁と前記第２の接続アームとの間に設けられており、
前記第３の防水プラグは、前記第３のモータの軸孔を塞ぐように前記第３のモータの軸の一端に設けられている、
ことを特徴とする防水安定器。
【請求項２】
ボディケース及びカバープレートを含む台座をさらに備え、
前記第３のモータのステータが前記台座の上端に接続され、前記カバープレートが前記ボディケースに被覆されており、
前記ボディケースの表面には、ＵＳＢインターフェース及びインジケータランプが設けられており、
前記防水コンポーネントは、前記ボディケースと前記カバープレートとの間に設けられた第５のシールリングと、前記ＵＳＢインターフェースを覆うように前記ボディケースの表面に接続された第４の防水プラグと、前記インジケータランプを覆うように前記ボディケースに接続された防水膜と、前記カバープレートの外壁に貼り付けられた防水層とをさらに含む、
ことを特徴とする請求項１に記載の防水安定器。
【請求項３】
前記第１の接続アームは、前記第２のモータのロータに接続された端部に摺動溝が設けられており、
前記第２のモータのロータは、前記第２のモータのロータに設けられた接続部を介して、前記摺動溝に摺動可能に接続されており、
前記接続部には、前記第２のモータと前記第１の接続アームとの相対位置を固定するための締結具が設けられている、
ことを特徴とする請求項１に記載の防水安定器。
【請求項４】
前記締結具は、前記接続部の外部に覆設された調整リングである、
ことを特徴とする請求項３に記載の防水安定器。
【請求項５】
前記固定コンポーネントは、固定板と、締付けストリップと、係止ねじとを含み、
前記固定板は、上端及び下端に、キャリアを嵌入するための凹溝と、貫通孔とが設けられており、
前記締付けストリップは、上端及び下端に、前記貫通孔に対向するねじ孔が設けられており、
前記係止ねじは、前記貫通孔及び前記ねじ孔に順次挿入してキャリアを前記固定板と前記締付けストリップとの間に固定している、
ことを特徴とする請求項１に記載の防水安定器。
【請求項６】
前記貫通孔内には、係止ねじの移動のためのキャビティが設けられている、
ことを特徴とする請求項５に記載の防水安定器。
【請求項７】
前記防水コンポーネントは、軟質材料からなる、
ことを特徴とする請求項１に記載の防水安定器。
【請求項８】
前記第１のシールリング、前記第２のシールリング、前記第３のシールリング、前記第４のシールリング及び前記第５のシールリングは、Ｏ字状に形成されている、
ことを特徴とする請求項２に記載の防水安定器。
【請求項９】
前記防水膜は、透明材料からなる、
ことを特徴とする請求項２に記載の防水安定器。
【請求項１０】
前記台座は、制御盤とボタンインターフェースとをさらに含み、
前記台座には、取付部がさらに設けられている、
ことを特徴とする請求項２に記載の防水安定器。